(57)【要約】【課題】スライドショー再生設定用の、直感的且つ分かり易いユーザインターフェースを提供する。【解決手段】各入力画像の画像特徴量から入力画像間の類似性を評価し、互いに類似し合う入力画像が共通のクラスに分類されるように、複数の入力画像を複数のクラスに分類する。垂直方向に沿った境界線にて表示画面を４分割することにより、表示画面に４つのクラス表示領域を設定し、第ｉのクラス表示領域に第ｉのクラスに属する入力画像が表示されるように、複数の入力画像（３０１〜３０８）を配列して表示する。ユーザは、この表示画面を見ながら、何れの入力画像を対象画像に選択するかを指定する。【選択図】図１５
2012114531.tif 000002
【特許請求の範囲】
【請求項１】
選択操作に従ってｍ枚の入力画像の内のｎ枚を対象画像として選択する対象画像選択部を備え（ｍ及びｎは２以上の整数であって、ｍ＞ｎ）、選択されたｎ枚の対象画像を順次表示画面に表示することによるスライドショー再生を実行する画像再生装置において、
各入力画像から抽出された画像特徴量に基づき前記ｍ枚の入力画像を複数のクラスに分類する画像分類部と、
前記選択操作の入力を受ける際、前記画像分類部の分類結果に基づく並べ方にて各入力画像を前記表示画面上に表示する表示制御部と、を備えた
ことを特徴とする画像再生装置。
【請求項２】
前記表示制御部は、前記選択操作の入力を受ける際、前記表示画面の表示領域を複数のクラス表示領域に分割し、共通のクラスに属する入力画像が共通のクラス表示領域に表示されるように、各入力画像を表示画面上に表示する
ことを特徴とする請求項１に記載の画像再生装置。
【請求項３】
前記表示制御部は、前記選択操作の入力を受ける際、選択された複数の対象画像が前記表示画面上の定められた表示領域に表示されるように、各入力画像を表示画面上に表示する
ことを特徴とする請求項１または請求項２に記載の画像再生装置。
【請求項４】
前記ｍ枚の入力画像の内、前記対象画像として選択されなかった入力画像は、前記スライドショー再生において前記対象画像よりも短い再生時間で再生される
ことを特徴とする請求項１〜請求項３の何れかに記載の画像再生装置。
【請求項５】
選択操作に従ってｍ枚の入力画像の内のｎ枚を対象画像として選択する対象画像選択部を備え（ｍ及びｎは２以上の整数であって、ｍ＞ｎ）、選択されたｎ枚の対象画像を順次表示画面に表示することによるスライドショー再生を実行する画像再生装置において、
第ｐ回目のスライドショー再生の実行中に所定操作を受けた際、第ｐ回目のスライドショー再生において前記対象画像として選択されなかった入力画像を表示して、第（ｐ＋１）回目又は第（ｐ＋１）回目以降のスライドショー再生における対象画像の選択を受け付ける（ｐは自然数）
ことを特徴とする画像再生装置。
【請求項６】
各入力画像から抽出された画像特徴量に基づき前記ｍ枚の入力画像を複数のクラスに分類する画像分類部を更に備え、
第ｐ回目のスライドショー再生の実行中であって且つ前記ｍ枚の入力画像に含まれる第１の入力画像が表示されているときに前記所定操作を受けた場合、前記第１の入力画像が属するクラス内の入力画像を表示して、第（ｐ＋１）回目又は第（ｐ＋１）回目以降のスライドショー再生における対象画像の選択を受け付ける
ことを特徴とする請求項５に記載の画像再生装置。
【請求項７】
前記ｍ枚の入力画像の内、第ｉ回目のスライドショー再生において前記対象画像として選択されなかった入力画像は、第ｉ回目のスライドショー再生において前記対象画像よりも短い再生時間で再生される（ｉは自然数）
ことを特徴とする請求項５または請求項６に記載の画像再生装置。
【請求項８】
選択操作に従ってｍ枚の入力画像の内のｎ枚を対象画像として選択する対象画像選択ステップと（ｍ及びｎは２以上の整数であって、ｍ＞ｎ）、
選択されたｎ枚の対象画像を順次表示画面に表示することによるスライドショー再生を実行する再生ステップと、
各入力画像から抽出された画像特徴量に基づき前記ｍ枚の入力画像を複数のクラスに分類する画像分類ステップと、
前記選択操作の入力を受ける際、前記画像分類部の分類結果に基づく並べ方にて各入力画像を前記表示画面上に表示する表示制御ステップと、を実行する
ことを特徴とする画像再生方法。
【請求項９】
請求項８に記載の対象画像選択ステップ、再生ステップ、画像分類ステップ及び表示制御ステップを、コンピュータに実行させるためのプログラム。
【請求項１０】
選択操作に従ってｍ枚の入力画像の内のｎ枚を対象画像として選択する対象画像選択ステップと（ｍ及びｎは２以上の整数であって、ｍ＞ｎ）、
選択されたｎ枚の対象画像を順次表示画面に表示することによるスライドショー再生を実行する再生ステップと、
第ｐ回目のスライドショー再生の実行中に所定操作を受けた際、第ｐ回目のスライドショー再生において前記対象画像として選択されなかった入力画像を表示して、第（ｐ＋１）回目又は第（ｐ＋１）回目以降のスライドショー再生における対象画像の選択を受け付ける選択受付ステップと（ｐは自然数）、を実行する
ことを特徴とする画像再生方法。
【請求項１１】
請求項１０に記載の対象画像選択ステップ、再生ステップ及び選択受付ステップを、コンピュータに実行させるためのプログラム。
【発明の詳細な説明】
【技術分野】
【０００１】
本発明は、画像の再生を行うための画像再生装置、画像再生方法及びプログラムに関する。
【背景技術】
【０００２】
複数の入力画像の再生方法として、スライドショーによる再生方法がある。スライドショーによる再生方法では、再生対象として選択された入力画像を１枚ずつ一定時間間隔にて順次表示する。ユーザは、スライドショー再生の実行に先立ち、記録媒体に記録されている多数の入力画像の中から所望の再生対象を選択することができる。
【０００３】
画像再生装置にて再生対象の選択操作を受け付けるときの表示画面例を、図３３に示す（図３３において、斜線領域は表示装置の筐体部分を表している）。表示画面には、記録媒体に記録されている複数の入力画像がマトリクス状に表示され、各々の入力画像に対してチェックボックスが割り当てられる。ユーザは、ポインティングデバイスなどを用い、再生対象として選択したい入力画像のチェックボックスにチェックを入れることで、当該入力画像を再生対象として選択することができる。図３３に示すような従来方法では、記録されている複数の入力画像が単に撮影時刻順又はファイル番号順で表示画面上に並べられる。
【０００４】
近年における記録媒体の記録容量の増加等に伴って、ユーザは、デジタル画像の撮影を気軽に次々と行い、互いに類似しあう画像を短時間で多数枚撮影することも多い（例えば、同じ景色を背景にして同じ人物を略同じ構図で多数回撮影することも多い）。互いに類似しあう画像（以下、類似画像群ともいう）を全て再生すると、似たような画像が次々と表示されて表示内容が冗長となることがあり、また、再生に必要な時間も長くなる。従って、類似画像群の中から再生を望む代表的な入力画像のみを再生対象として選択する、といった選択操作が一般的に行われる。
【０００５】
他方、スライドショー再生の実行中において、ユーザは再生対象の変更を望む場合もある。例えば、類似画像群を形成する第１〜第４の入力画像の内、第２の入力画像を再生対象として選択した状態でスライドショー再生を開始したものの、スライドショー再生の最中に再生対象としてふさわしい画像が第２の入力画像ではなく第３の入力画像であると気付くことがある。このような場合、従来の画像再生装置のユーザは、一旦、スライドショー再生を停止し、再生対象を新たに選び直した上でスライドショー再生を再開させる。再生対象を新たに選び直すための表示画面は、図３３のそれと同様である。即ち、再生対象を初めて選ぶときも、再生対象を選び直すときも、表示画面及び選択方法は同じである。
【０００６】
尚、複数の入力画像間の類似度に基づいて複数の入力画像から代表画像を抽出し、代表画像のみをスライドショーの中で再生する方法も提案されている（例えば、下記特許文献１参照）。
【先行技術文献】
【特許文献】
【０００７】
【特許文献１】特開２００９−１３４４１１号公報
【発明の概要】
【発明が解決しようとする課題】
【０００８】
上述したように、図３３に示すような従来方法では、記録されている複数の入力画像が単に撮影時刻順又はファイル番号順で表示画面上に並べられる。従って、ユーザは、記録媒体に記録されている複数の入力画像の内、どの画像群が類似画像群を形成しているのかを直感的に把握することが難しいことも多い。互いに類似しあう画像が離れた表示位置に表示されることもあるし、互いに類似しあう画像が１画面内に表示されないこともあるからである。結果、類似画像群の中から代表的な入力画像のみを再生対象として選択するといったことが難しくなることもある。このような従来方法との比較において、ユーザ所望の入力画像の選択が容易となるユーザインターフェースがあれば便利である。
【０００９】
また、上述したように、従来の画像再生装置では、再生対象を初めて選ぶときも、再生対象を選び直すときも、表示画面及び選択方法は同じである。即ち例えば、上記の如く、再生対象として選択される入力画像を第２の入力画像から第３の入力画像に切り換えたい場合、ユーザは、図３３のような表示画面を適宜スクロールさせながら、全ての入力画像の中より、ユーザ所望の第３の入力画像を発見し選択する必要がある。このような作業は煩雑であり、ユーザ所望の入力画像の選択が容易となるユーザインターフェースがあれば便利である。
【００１０】
尚、特許文献１に記載された方法は、このようなユーザインターフェースの実現に寄与するものではない。
【００１１】
そこで本発明は、スライドショー再生の再生対象選択に有益な機能を持つ画像再生装置、画像再生方法及びプログラムを提供することを目的とする。
【課題を解決するための手段】
【００１２】
本発明に係る第１の画像処理装置は、選択操作に従ってｍ枚の入力画像の内のｎ枚を対象画像として選択する対象画像選択部を備え（ｍ及びｎは２以上の整数であって、ｍ＞ｎ）、選択されたｎ枚の対象画像を順次表示画面に表示することによるスライドショー再生を実行する画像再生装置において、各入力画像から抽出された画像特徴量に基づき前記ｍ枚の入力画像を複数のクラスに分類する画像分類部と、前記選択操作の入力を受ける際、前記画像分類部の分類結果に基づく並べ方にて各入力画像を前記表示画面上に表示する表示制御部と、を備えたことを特徴とする。
【００１３】
上記の表示制御部による表示により、例えば、ユーザは、複数の入力画像間の類似性関係を直感的に且つ即座に判断することが可能となる。結果、例えば、互いに類似しあう入力画像の中から、所望の入力画像のみを対象画像として選択するといった操作を行いやすくなる。
【００１４】
具体的には例えば、前記第１の画像処理装置において、前記表示制御部は、前記選択操作の入力を受ける際、前記表示画面の表示領域を複数のクラス表示領域に分割し、共通のクラスに属する入力画像が共通のクラス表示領域に表示されるように、各入力画像を表示画面上に表示しても良い。
【００１５】
また例えば、前記第１の画像処理装置において、前記表示制御部は、前記選択操作の入力を受ける際、選択された複数の対象画像が前記表示画面上の定められた表示領域に表示されるように、各入力画像を表示画面上に表示しても良い。
【００１６】
これにより、ユーザは、何れの入力画像が対象画像に選択されているのかを認識し易くなる。
【００１７】
また例えば、前記第１の画像処理装置において、前記ｍ枚の入力画像の内、前記対象画像として選択されなかった入力画像は、前記スライドショー再生において前記対象画像よりも短い再生時間で再生されてもよい。
【００１８】
本発明に係る第２の画像処理装置は、選択操作に従ってｍ枚の入力画像の内のｎ枚を対象画像として選択する対象画像選択部を備え（ｍ及びｎは２以上の整数であって、ｍ＞ｎ）、選択されたｎ枚の対象画像を順次表示画面に表示することによるスライドショー再生を実行する画像再生装置において、第ｐ回目のスライドショー再生の実行中に所定操作を受けた際、第ｐ回目のスライドショー再生において前記対象画像として選択されなかった入力画像を表示して、第（ｐ＋１）回目又は第（ｐ＋１）回目以降のスライドショー再生における対象画像の選択を受け付ける（ｐは自然数）ことを特徴とする。
【００１９】
これにより、ユーザは、第ｐ回目のスライドショー再生において対象画像として選択されなかった入力画像を表示画面上で確認した上で、対象画像の再選択を行うことができ、所望の入力画像を対象画像として選択し直すといった操作を行いやすくなる。
【００２０】
具体的には例えば、前記第２の画像処理装置は、各入力画像から抽出された画像特徴量に基づき前記ｍ枚の入力画像を複数のクラスに分類する画像分類部を更に備え、第ｐ回目のスライドショー再生の実行中であって且つ前記ｍ枚の入力画像に含まれる第１の入力画像が表示されているときに前記所定操作を受けた場合、前記第１の入力画像が属するクラス内の入力画像を表示して、第（ｐ＋１）回目又は第（ｐ＋１）回目以降のスライドショー再生における対象画像の選択を受け付ける。
【００２１】
これにより、例えば、共通のクラスに属する互いに類似し合う入力画像の中から、所望の入力画像を対象画像として選択し直すといった操作を行いやすくなる。
【００２２】
また例えば、前記第２の画像処理装置において、前記ｍ枚の入力画像の内、第ｉ回目のスライドショー再生において前記対象画像として選択されなかった入力画像は、第ｉ回目のスライドショー再生において前記対象画像よりも短い再生時間で再生されてもよい（ｉは自然数）。
【００２３】
本発明に係る第１の画像処理方法は、選択操作に従ってｍ枚の入力画像の内のｎ枚を対象画像として選択する対象画像選択ステップと（ｍ及びｎは２以上の整数であって、ｍ＞ｎ）、選択されたｎ枚の対象画像を順次表示画面に表示することによるスライドショー再生を実行する再生ステップと、各入力画像から抽出された画像特徴量に基づき前記ｍ枚の入力画像を複数のクラスに分類する画像分類ステップと、前記選択操作の入力を受ける際、前記画像分類部の分類結果に基づく並べ方にて各入力画像を前記表示画面上に表示する表示制御ステップと、を実行することを特徴とする。
【００２４】
そして例えば、上記の対象画像選択ステップ、再生ステップ、画像分類ステップ及び表示制御ステップを、コンピュータに実行させるためのプログラムを形成すると良い。
【００２５】
本発明に係る第２の画像処理方法は、選択操作に従ってｍ枚の入力画像の内のｎ枚を対象画像として選択する対象画像選択ステップと（ｍ及びｎは２以上の整数であって、ｍ＞ｎ）、選択されたｎ枚の対象画像を順次表示画面に表示することによるスライドショー再生を実行する再生ステップと、第ｐ回目のスライドショー再生の実行中に所定操作を受けた際、第ｐ回目のスライドショー再生において前記対象画像として選択されなかった入力画像を表示して、第（ｐ＋１）回目又は第（ｐ＋１）回目以降のスライドショー再生における対象画像の選択を受け付ける選択受付ステップと（ｐは自然数）、を実行することを特徴とする。
【００２６】
そして例えば、上記の対象画像選択ステップ、再生ステップ及び選択受付ステップを、コンピュータに実行させるためのプログラムを形成すると良い。
【発明の効果】
【００２７】
本発明によれば、スライドショー再生の再生対象選択に有益な機能を持つ画像再生装置、画像再生方法及びプログラムを提供することが可能である。
【図面の簡単な説明】
【００２８】
【図１】本発明の第１実施形態に係る撮像装置の概略全体ブロック図である。
【図２】図１の撮像部の内部構成図である。
【図３】画像ファイルの構造を示す図である。
【図４】画像ファイルのヘッダ領域に格納される付加データを表す図である。
【図５】本発明の第１実施形態に係るｍ個の画像ファイル及びｍ枚の入力画像を示す図である。
【図６】本発明の第１実施形態に係り、スライドショー再生の実現に特に関与する部位のブロック図である。
【図７】図６の画像解析部の内部ブロック図である。
【図８】本発明の第１実施形態に係り、特徴空間を示す図（ａ）と、特徴空間上における複数の特徴ベクトル間の関係を示す図（ｂ）である。
【図９】複数の入力画像間の関連度を示す図である。
【図１０】本発明の第１実施形態に係り、クラスタリング処理を説明するための図である。
【図１１】本発明の第１実施形態に係り、８枚の入力画像が４つのクラスに分類される様子を示す図である。
【図１２】本発明の第１実施形態に係り、表示画面上に、複数のクラス表示領域及び複数の要素表示領域が設定される様子を示す図である。
【図１３】本発明の第１実施形態に係り、１つの要素表示領域内に１枚の入力画像が表示される様子を示す図である。
【図１４】本発明の第１実施形態に係り、入力画像と共にチェックボックスが表示される様子を示す図である。
【図１５】本発明の第１実施形態に係り、表示画面の例を示す図である。
【図１６】本発明の第１実施形態に係り、入力画像及びチェックボックスを示す図（ａ）と、チェックボックスがとり得る複数のチェック状態を示す図（ｂ）である。
【図１７】本発明の第１実施形態に係り、表示画面の例を示す図である。
【図１８】本発明の第１実施形態に係り、表示画面の例を示す図である。
【図１９】本発明の第１実施形態に係り、８枚の入力画像が５つのクラスに分類される様子を示す図である。
【図２０】本発明の第１実施形態に係り、表示画面の例を示す図である。
【図２１】本発明の第１実施形態に係り、ユーザ操作に応じた表示画面の変遷の様子を示す図である。
【図２２】本発明の第１実施形態に係り、ユーザ操作に応じた表示画面の変遷の様子を示す図である。
【図２３】本発明の第１実施形態に係り、表示画面上に複数のクラス表示領域を設定する方法の変形例を示す図である。
【図２４】図１の操作部に設けることのできる部材を示す図である。
【図２５】本発明の第２施形態に係り、関連アイコンを示す図（ａ）と、関連アイコンの表示方法例を示す図（ｂ）である。
【図２６】本発明の第２実施形態に係り、第１具体例において、表示される画像の変遷の様子を示した図である。
【図２７】本発明の第２実施形態に係り、第２具体例において、表示される画像の変遷の様子を示した図である。
【図２８】本発明の第２実施形態に係り、第３具体例において、表示される画像の変遷の様子を示した図である。
【図２９】本発明の第２実施形態に係り、第４具体例において、表示される画像の変遷の様子を示した図である。
【図３０】本発明の第２実施形態に係り、第５具体例において、表示される画像の変遷の様子を示した図である。
【図３１】本発明の第２実施形態に係り、第６具体例において、表示される画像の変遷の様子を示した図である。
【図３２】本発明の変形実施形態に係る電子機器の内部ブロック図である。
【図３３】従来の画像再生装置の表示画面例を示す図である。
【発明を実施するための形態】
【００２９】
以下、本発明の実施形態の例を、図面を参照して具体的に説明する。参照される各図において、同一の部分には同一の符号を付し、同一の部分に関する重複する説明を原則として省略する。
【００３０】
＜＜第１実施形態＞＞
本発明の第１実施形態を説明する。図１は、第１実施形態に係る撮像装置１の概略全体ブロック図である。撮像装置１は、静止画像及び動画像を撮影及び記録可能なデジタルビデオカメラである。但し、撮像装置１は、静止画像のみを撮影及び記録可能なデジタルスチルカメラであっても良い。また、撮像装置１は、携帯電話機などの携帯端末に搭載されるものであっても良い。
【００３１】
撮像装置１は、撮像部１１と、ＡＦＥ（Analog Front End）１２と、主制御部１３と、内部メモリ１４と、表示部１５と、記録媒体１６と、操作部１７と、を備えている。尚、表示部１５は撮像装置１の外部機器（不図示）に設けられたものである、と解釈しても良い。
【００３２】
図２に、撮像部１１の内部構成図を示す。撮像部１１は、光学系３５と、絞り３２と、ＣＣＤ（Charge Coupled Device）やＣＭＯＳ（Complementary Metal Oxide Semiconductor）イメージセンサなどから成る撮像素子３３と、光学系３５や絞り３２を駆動制御するためのドライバ３４と、を有している。光学系３５は、ズームレンズ３０及びフォーカスレンズ３１を含む複数枚のレンズから形成される。ズームレンズ３０及びフォーカスレンズ３１は光軸方向に移動可能である。ドライバ３４は、主制御部１３からの制御信号に基づいてズームレンズ３０及びフォーカスレンズ３１の各位置並びに絞り３２の開度を駆動制御することにより、撮像部１１の焦点距離（画角）及び焦点位置並びに撮像素子３３への入射光量（換言すれば、絞り値）を制御する。
【００３３】
撮像素子３３は、光学系３５及び絞り３２を介して入射した被写体を表す光学像を光電変換し、該光電変換によって得られた電気信号をＡＦＥ１２に出力する。より具体的には、撮像素子３３は、マトリクス状に二次元配列された複数の受光画素を備え、各撮影において、各受光画素は露光時間に応じた電荷量の信号電荷を蓄える。蓄えた信号電荷の電荷量に比例した大きさを有する各受光画素からのアナログ信号は、撮像装置１内で生成される駆動パルスに従って順次ＡＦＥ１２に出力される。
【００３４】
ＡＦＥ１２は、撮像部１１（撮像素子３３）から出力されるアナログ信号を増幅し、増幅されたアナログ信号をデジタル信号に変換する。ＡＦＥ１２は、このデジタル信号をＲＡＷデータとして主制御部１３に出力する。ＡＦＥ１２における信号増幅の増幅度は、主制御部１３によって制御される。
【００３５】
主制御部１３は、ＣＰＵ（Central Processing Unit）、ＲＯＭ（Read Only Memory）及びＲＡＭ（Random Access Memory）等から成る。主制御部１３は、ＡＦＥ１２からのＲＡＷデータに基づいて、撮像部１１によって撮影された画像（以下、撮影画像とも言う）を表す画像データを生成する。ここで生成される画像データには、例えば、輝度信号及び色差信号が含まれる。但し、ＲＡＷデータそのものも画像データの一種であり、撮像部１１から出力されるアナログ信号も画像データの一種である。また、主制御部１３は、表示部１５の表示内容を制御する表示制御部としての機能をも備え、表示に必要な制御を表示部１５に対して行う。
【００３６】
内部メモリ１４は、ＳＤＲＡＭ（Synchronous Dynamic Random Access Memory）等にて形成され、撮像装置１内で生成された各種データを一時的に記憶する。
【００３７】
表示部１５は、液晶ディスプレイパネル等の表示画面を有する表示装置であり、主制御部１３の制御の下、撮影された画像や記録媒体１６に記録されている画像などを表示する。本明細書において、単に表示及び表示画面と言った場合、それらは、表示部１５における表示及び表示画面を指すものとする。表示部１５にはタッチパネル１９が設けられており、ユーザは、表示部１５の表示画面を操作体（指やタッチペンなど）で触れることで撮像装置１に特定の指示を与えることができる。尚、タッチパネル１９を割愛することも可能である。
【００３８】
記録媒体１６は、カード状半導体メモリや磁気ディスク等の不揮発性メモリであり、主制御部１３による制御の下、撮影画像の画像データ等を記録する。操作部１７は、静止画像の撮影指示を受け付けるシャッタボタン２０等を備え、外部からの各種操作を受け付ける。操作部１７に対する操作内容は、主制御部１３に伝達される。
【００３９】
撮像装置１には、表示部１５にて複数の入力画像を順次再生させるスライドショー機能が備えられている。スライドショー機能では、複数の入力画像が表示部１５の表示画面上で順次表示され、このような順次表示をスライドショー再生と呼ぶ。入力画像とは、任意の静止画像又は動画像である。ここでは、入力画像が撮像装置１によって撮影された静止画像又は動画像であり、入力画像の画像データが記録媒体１６に記録されていることを想定する。画像データを記録媒体１６に記録する際、画像データを圧縮するようにしても良い。以下の説明では、説明の簡略化上、画像データが圧縮されているか否かを意識しない。
【００４０】
入力画像の画像データを、画像ファイルに格納した上で記録媒体１６に記録することができる。図３に、１つの画像ファイルの構造を示す。１つの静止画像又は動画像に対して１つの画像ファイルを作成することができる。画像ファイルの構造を任意の規格に準拠させることができる。画像ファイルは、静止画像又は動画像の画像データが格納される本体領域と、付加データが格納されるヘッダ領域と、からなる。
【００４１】
図４に示す如く、或る画像ファイルに対する付加データに、当該画像ファイルの固有名称であるファイル名、当該画像ファイルに対応する入力画像の撮影時刻を表す撮影時刻データ、当該画像ファイルに対応する入力画像の撮影地点を表す撮影地点データ、当該画像ファイルに対応する入力画像の画像特徴量データなどを含めることができる。尚、入力画像が動画像である場合、その入力画像の撮影時刻は、例えば、入力画像としての動画像の撮影開始時刻とされる。
【００４２】
スライドショー再生における静止画像の再生とは、当該静止画像を定められた時間だけ表示することを指す。スライドショー再生における動画像の再生とは、当該動画像の全区間又は一部区間を表示することを指す。一部区間は１フレーム区間であっても良い。この場合、スライドショー再生において動画像が再生される際、動画像を形成する複数のフレームの内の代表フレーム（例えば、１番目のフレーム）のみが定められた時間だけ表示される。以下では、特に記述なき限り、入力画像が静止画像であるものとする。
【００４３】
図５には、記録媒体１６に記録されているｍ個の画像ファイルＦＬ［１］〜ＦＬ［ｍ］が示されている。ｍは２以上の整数である。画像ファイルＦＬ［ｉ］には、入力画像ＩＭ［ｉ］の画像データが格納されている（ｉは任意の整数）。即ち、画像ファイルＦＬ［１］〜ＦＬ［ｍ］には、夫々、入力画像ＩＭ［１］〜ＩＭ［ｍ］の画像データが格納されている。画像ファイルＦＬ［ｉ］のヘッダ領域には、入力画像ＩＭ［ｉ］に対する付加データが格納されている。図５に示される特徴ベクトルＦＶ［ｉ］については後述する。
【００４４】
図６に、スライドショー機能の実現に特に関与する部位のブロック図を示す。画像解析部５１、選択処理部５２及び表示制御部５３を、例えば、図１の主制御部１３に設けておくことができる。図７は、画像解析部５１の内部ブロック図である。符号６１〜６３によって参照される各部位が画像解析部５１に設けられる。画像解析部５１、選択処理部５２及び表示制御部５３は、記録媒体１６に記録されている全てのデータを自由に読み出し可能である。
【００４５】
画像解析部５１は、記録媒体１６から与えられた入力画像の画像データ又は記録媒体１６を介することなく与えられた入力画像の画像データに基づき、入力画像の内容を解析する。この解析には、画像特徴量抽出部６１による画像特徴量抽出処理が含まれる。画像特徴量抽出処理において、画像特徴量抽出部６１は、入力画像の画像データから入力画像の画像特徴量を抽出する。入力画像の画像特徴量は、入力画像の画像特徴に依存する量、即ち入力画像に存在している物体の形状、色及びテクスチャ等に依存する量であり、ここでは、特徴ベクトルが入力画像の画像特徴量として導出されるものとする。画像特徴量又は特徴ベクトルの導出方法として、公知の方法（例えば、特開２００９−１３４４１１号公報に記載の方法）を含む任意の方法を利用することが可能である。例えば、ＭＰＥＧ（Moving Picture Experts Group）７において定められた方法を入力画像に適用することで入力画像の特徴ベクトルを導出することができる。
【００４６】
特徴ベクトルの導出を、入力画像ごとに行うことができる。入力画像ＩＭ［ｉ］について導出された特徴ベクトルをＦＶ［ｉ］にて表す。図５に示す如く、特徴ベクトルＦＶ［ｉ］を表す画像特徴量データを、画像ファイルＦＬ［ｉ］のヘッダ領域に格納しておくことができる。
【００４７】
関連度導出部６２は、任意の２枚の入力画像間において画像特徴の類似性を評価する類似性評価処理を実行し、類似性評価処理の結果に基づいて当該２枚の入力画像の関連度を導出する。類似性評価処理を実行する類似性評価部（不図示）が関連度導出部６２に内包されていると考えても構わない。
【００４８】
互いに異なる２枚の入力画像ＩＭ［ｉ］及びＩＭ［ｊ］に対する類似性評価処理を説明する（ｉ及びｊは整数であって、ｉ≠ｊ）。特徴ベクトルは、図８（ａ）に示されるような複数次元の特徴空間（feature space）ＦＳに配置されるべきベクトル量である。図８（ａ）では、特徴空間ＦＳが３次元空間であるかのように示されているが、特徴空間ＦＳの次元数は３以外であっても良い。特徴空間ＦＳにおいて特徴ベクトルＦＶ［ｉ］と特徴ベクトルＦＶ［ｊ］とが近似していることは、入力画像ＩＭ［ｉ］の画像特徴と入力画像ＩＭ［ｊ］の画像特徴が近似していることを意味する。従って、入力画像ＩＭ［ｉ］及びＩＭ［ｊ］に対する類似性評価処理では、図８（ｂ）に示す如く、特徴空間ＦＳにおける特徴ベクトルＦＶ［ｉ］の終点と特徴ベクトルＦＶ［ｊ］の終点を特徴空間ＦＳにプロットし、それらの終点間の距離（ユークリッド距離）ｄ［ｉ，ｊ］を求める。距離ｄ［ｉ，ｊ］を、２枚の入力画像間の画像特徴距離とも呼ぶ。そして、距離ｄ［ｉ，ｊ］が所定の基準距離ｄＲＥＦよりも小さければ、入力画像ＩＭ［ｉ］及びＩＭ［ｊ］間の画像特徴に関する類似性は高いと判断し、その距離ｄ［ｉ，ｊ］が該基準距離ｄＲＥＦ以上であれば、入力画像ＩＭ［ｉ］及びＩＭ［ｊ］間の画像特徴に関する類似性は低いと判断する。関連度導出部６２は、任意の２枚の入力画像の組み合わせに対して類似性評価処理を行うことができる。尚、特徴ベクトルＦＶ［ｉ］及びＦＶ［ｊ］を含む任意の特徴ベクトルの始点は、特徴空間ＦＳの原点に配置される。
【００４９】
関連度導出部６２は、入力画像ＩＭ［ｉ］及びＩＭ［ｊ］に対する類似性評価処理の結果に基づき入力画像ＩＭ［ｉ］及びＩＭ［ｊ］間の関連度を求めることができる。単純には例えば、類似性の高低をそのまま関連度の高低に利用することができる。即ち例えば、入力画像ＩＭ［ｉ］及びＩＭ［ｊ］間の画像特徴に関する類似性が高いと判断した場合には、入力画像ＩＭ［ｉ］及びＩＭ［ｊ］間の関連度は高いと判断し、入力画像ＩＭ［ｉ］及びＩＭ［ｊ］間の画像特徴に関する類似性が低いと判断した場合には、入力画像ＩＭ［ｉ］及びＩＭ［ｊ］間の関連度は低いと判断することができる。
【００５０】
但し、類似性評価処理の結果に他の情報を加味した上で関連度を求めてもよい。他の情報とは、例えば、撮影時刻データ、撮影地点データなどである（図４参照）。
即ち例えば、上記の距離ｄ［ｉ，ｊ］が基準距離ｄＲＥＦよりも小さかったとしても、不等式“ｄ［ｉ，ｊ］＋Δｄ＞ｄＲＥＦ”が成立し（Δｄは所定の正の値を持つ）且つ入力画像ＩＭ［ｉ］及びＩＭ［ｊ］の撮影時刻差が所定の基準時刻差以上であるならば、入力画像ＩＭ［ｉ］及びＩＭ［ｊ］間の関連度は低いと判断するようにしても良い。逆に、距離ｄ［ｉ，ｊ］が基準距離ｄＲＥＦ以上であったとしても、不等式“ｄ［ｉ，ｊ］−Δｄ＜ｄＲＥＦ”が成立し且つ入力画像ＩＭ［ｉ］及びＩＭ［ｊ］の撮影時刻差が所定の基準時刻差未満であるならば、入力画像ＩＭ［ｉ］及びＩＭ［ｊ］間の関連度は高いと判断するようにしても良い。
同様に例えば、上記の距離ｄ［ｉ，ｊ］が基準距離ｄＲＥＦよりも小さかったとしても、不等式“ｄ［ｉ，ｊ］＋Δｄ＞ｄＲＥＦ”が成立し（Δｄは所定の正の値を持つ）且つ入力画像ＩＭ［ｉ］及びＩＭ［ｊ］の撮影地点の距離差が所定の基準距離差以上であるならば、入力画像ＩＭ［ｉ］及びＩＭ［ｊ］間の関連度は低いと判断するようにしても良い。逆に、距離ｄ［ｉ，ｊ］が基準距離ｄＲＥＦ以上であったとしても、不等式“ｄ［ｉ，ｊ］−Δｄ＜ｄＲＥＦ”が成立し且つ入力画像ＩＭ［ｉ］及びＩＭ［ｊ］の撮影地点の距離差が所定の基準距離差未満であるならば、入力画像ＩＭ［ｉ］及びＩＭ［ｊ］間の関連度は高いと判断するようにしても良い。
【００５１】
上述の関連度の導出方法では関連度が２段階で評価されているが（即ち、関連度が高いか或いは低いかのみが判断されているが）、関連度を３段階以上に分類するようにしても良い。
【００５２】
図７の画像分類部６３は、関連度導出部６２にて導出された関連度に基づき、ｍ枚の入力画像を複数のクラスに分類する。この際、互いに関連度が高いと判断された入力画像の集まりにて１つのクラスを形成するようにすると良く、且つ、互いに関連度が低いと判断された入力画像が互いに異なるクラスに分類されるようにすると良い。入力画像ＩＭ［ｉ］及びＩＭ［ｊ］間の関連度を、便宜上、記号ＲＤ［ｉ，ｊ］にて表す。例えば、図９に示す如く、関連度ＲＤ［１，２］及びＲＤ［３，４］が高いが、関連度ＲＤ［１，３］、ＲＤ［１，４］、ＲＤ［２，３］及びＲＤ［２，４］が低い場合、入力画像ＩＭ［１］及びＩＭ［２］を第１のクラスに分類し、入力画像ＩＭ［３］及びＩＭ［４］を第２のクラスに分類することができる。ｉ及びｊが互いに異なる整数である場合、第ｉのクラスと第ｊのクラスは互いに異なるクラスである。
【００５３】
関連度ＲＤ［１，２］及びＲＤ［３，４］が高い場合において、関連度ＲＤ［１，３］、ＲＤ［１，４］、ＲＤ［２，３］及びＲＤ［２，４］の内の何れか１以上が高いときには、入力画像ＩＭ［１］〜ＩＭ［４］を共通のクラスに分類するようにしても良い。或いは、関連度ＲＤ［１，２］及びＲＤ［３，４］が高い場合、関連度ＲＤ［１，３］、ＲＤ［１，４］、ＲＤ［２，３］及びＲＤ［２，４］の内の何れか２又は３以上が高い場合に限って、入力画像ＩＭ［１］〜ＩＭ［４］を共通のクラスに分類するようにしても良い。
【００５４】
関連度は画像特徴量に基づいて求められるため、関連度に基づくクラス分けは、画像特徴量に基づくクラス分けに他ならない。関連度を介してクラス分けを行うのではなく、特徴ベクトルに基づき、直接、クラス分けを行うようにしても良い。
【００５５】
各入力画像の特徴ベクトルに基づく各入力画像のクラス分けに、クラスタリング（clustering）処理を用いることができる。クラスタリング処理の方法は公知であるため、ここでは、簡単に１方法例を説明する。例えば、図１０に示す如く、特徴空間ＦＳにおける特徴ベクトルＦＶ［１］〜ＦＶ［ｍ］の終点を特徴空間ＦＳにプロットし、特徴空間ＦＳにおける各終点の位置に基づき、特徴空間ＦＳにおいて互いに近接した終点同士が共通のクラスに分類されるように、且つ、特徴空間ＦＳにおいて互いに近接していない終点同士が互いに異なるクラスに分類されるように、各終点をクラス分けすると良い。特徴ベクトルＦＶ［ｉ］の終点が第１のクラスに分類されることは、入力画像ＩＭ［１］が第１のクラスに分類されることを意味し、特徴ベクトルＦＶ［ｉ］の終点が第２のクラスに分類されることは、入力画像ＩＭ［１］が第２のクラスに分類されることを意味する。
【００５６】
図６の選択処理部５２は、対象画像選択部として機能し、ユーザによって成された選択操作に従って、ｍ枚の入力画像ＩＭ［１］〜ＩＭ［ｍ］の内のｎ枚を対象画像として選択する。選択操作は、操作部１７又はタッチパネル１９に対して成される。ｎは２以上の整数である。但し、ｍ＞ｎが成立する。入力画像ＩＭ［１］〜ＩＭ［ｍ］の内の、対象画像として選択されなかった入力画像を特に非対象画像と呼ぶ。
【００５７】
表示制御部５３は、表示部１５の表示内容を制御し、スライドショー再生時には、ｎ枚の対象画像が一定時間間隔で順次表示画面に表示されるように表示部１５を制御する。本実施形態において、画像の再生と、画像の表示は同義である。非対象画像は、スライドショー再生の実行期間中、再生されない。即ち例えば、入力画像ＩＭ［１］、ＩＭ［２］及びＩＭ［５］が対象画像に設定された一方で入力画像ＩＭ［３］及びＩＭ［４］が非対象画像に設定された場合、スライドショー再生において、入力画像ＩＭ［３］及びＩＭ［４］は一切表示されることなく、入力画像ＩＭ［１］、ＩＭ［２］及びＩＭ［５］が一定時間間隔で順次表示される（即ち、入力画像ＩＭ［３］及びＩＭ［４］の夫々の再生時間はゼロとされる）。
【００５８】
但し、スライドショー再生において、非対象画像を短い時間だけ再生するようにしても良い。換言すれば、スライドショー再生において、対象画像を順次再生するだけでなく、対象画像の再生時間よりも短い再生時間だけ非対象画像を再生するようにしても良い。この場合における選択操作は、各入力画像の再生時間を設定する操作であるとも言える。具体的には例えば、入力画像ＩＭ［１］、ＩＭ［２］及びＩＭ［５］が対象画像に設定された一方で入力画像ＩＭ［３］及びＩＭ［４］が非対象画像に設定された場合、スライドショー再生において、入力画像ＩＭ［１］、ＩＭ［２］及びＩＭ［５］が一定時間間隔で順次表示される期間中に或いは該期間後に、入力画像ＩＭ［３］及びＩＭ［４］の夫々を時間ｔＳだけ表示するようにしても良い。時間ｔＳ（例えば、０．５秒）は、対象画像である入力画像ＩＭ［１］、ＩＭ［２］及びＩＭ［５］の夫々の再生時間ｔＬ（例えば、３秒）よりも短い。尚、再生時間と表示時間は同義である。
【００５９】
スライドショー再生の実行に先立って、撮像装置１の動作モードを、対象画像を選択するための対象画像選択モードに設定することができる。以下、第１実施形態では、対象画像選択モードにおける撮像装置１の動作を説明する。また、以下では、図１１に示す入力画像３０１〜３０８が入力画像ＩＭ［１］〜ＩＭ［ｍ］に含まれている場合を考え、特に記述なき限り、入力画像３０１〜３０８以外に入力画像は存在していないと考える（後述の第２実施形態においても同様）。入力画像３０１〜３０８の画像特徴量に基づき、画像解析部５１により、入力画像３０１が第１のクラスに分類され、入力画像３０２及び３０３が第２のクラスに分類され、入力画像３０４〜３０７が第３のクラスに分類され、且つ、入力画像３０８が第４のクラスに分類されたものとする。
【００６０】
図１１に示した、入力画像３０１〜３０８に対する上記分類を初期分類と呼ぶ。初期分類によるクラス分けは後に変更されうる（詳細は後述）。
【００６１】
対象画像選択モードにおいて、表示制御部５３は、表示部１５の表示画面の全表示領域を複数個に分割することにより、表示画面内に複数のクラス表示領域を設定する。ここでは、表示画面に４つのクラス表示領域が設定されるものとする。即ち、図１２に示す如く、表示画面の全表示領域が、表示画面の垂直方向に平行な３つの境界線を境に４つのクラス表示領域ＡＲ［１］〜ＡＲ［４］に分割され、１つのクラス表示領域に１つのクラスが割り当てられる。何れのクラス表示領域に何れのクラスを割り当てるかは任意であるが、互いに異なるクラス表示領域には互いに異なるクラスが割り当てられる。尚、表示部１５の様子を表す図面（図１２並びに後述の図１５等）において、斜線領域は、表示画面を取り囲む表示部筐体を表している。
【００６２】
各クラス表示領域は、更に、複数の要素表示領域に細分化される。ここでは、各クラス表示領域に４つの要素表示領域が設けられているものとし、図１２に示す如く、クラス表示領域ＡＲ［ｉ］に設けられた４つの要素表示領域を記号ＡＲ［ｉ，１］〜ＡＲ［ｉ，４］にて表す。表示画面において、垂直方向は上下方向に相当し、水平方向は左右方向に相当する。表示画面に正対するユーザから見た上下左右を表示画面の上下左右と一致させて考える。以下、クラス表示領域ＡＲ［ｉ］及び要素表示領域ＡＲ［ｉ，ｊ］を、夫々、領域ＡＲ［ｉ］及び領域ＡＲ［ｉ，ｊ］と略記することがある。
【００６３】
クラス表示領域ＡＲ［ｉ］において、上方から下方に向かって領域ＡＲ［ｉ，１］、ＡＲ［ｉ，２］、ＡＲ［ｉ，３］及びＡＲ［ｉ，４］が、この順番で並べられている。領域ＡＲ［１，ｊ］、ＡＲ［２，ｊ］、ＡＲ［３，ｊ］及びＡＲ［４，ｊ］は、水平方向に沿って左側から右側に向かって、この順番で並べられている。
【００６４】
図１３に示す如く、１つの要素表示領域に１枚の入力画像を表示することができる。入力画像を表示する際、入力画像の画像データに対して、入力画像の表示サイズに応じた解像度変換を成しても良い。図１３では、要素表示領域ＡＲ［ｉ，ｊ］に入力画像３０１が表示されている様子が示されている。
【００６５】
表示制御部５３は、入力画像が表示された要素表示領域ごとに（換言すれば、表示された入力画像ごとに）、チェックボックスを設けることができる。図１４において、矩形枠ＣＢは、入力画像３０１が表示されている要素表示領域ＡＲ［ｉ，ｊ］内のチェックボックスを表している。チェックボックスＣＢは、図１４に示す如く、入力画像上に重畳表示される。但し、チェックボックスＣＢを、対応する入力画像の外側に表示するようにしても良い。
【００６６】
対象画像選択モードにおいて、表示制御部５３は、まず、第１〜第４のクラスを夫々クラス表示領域ＡＲ［１］〜ＡＲ［４］に割り当て、クラス表示領域ＡＲ［ｉ］内に第ｉのクラスに属する入力画像を表示させる。この状態で、所定のスクロール操作が成されたとき、第２〜第５のクラスを夫々クラス表示領域ＡＲ［１］〜ＡＲ［４］に割り当て、クラス表示領域ＡＲ［ｉ］内に第（ｉ＋１）のクラスに属する入力画像を表示させることができるが、ここでは、第１〜第４のクラスがクラス表示領域ＡＲ［１］〜ＡＲ［４］に割り当てられている状態を想定する。
【００６７】
今、クラスごとに１枚ずつ対象画像が設定されている状態、即ち、例えば、入力画像３０１、３０２、３０４及び３０８が対象画像に設定され且つ入力画像３０３、３０５〜３０７が非対象画像に設定されている状態を初期表示状態として想定する。図１５に、初期表示状態における表示画面の様子を示す。
【００６８】
上述の如く、第１〜第４のクラスが夫々クラス表示領域ＡＲ［１］〜ＡＲ［４］に割り当てられるため、図１５の表示画面では、クラス表示領域ＡＲ［１］内の１つの要素表示領域を用いて第１のクラスに属する入力画像３０１が表示され、且つ、クラス表示領域ＡＲ［２］内の２つの要素表示領域を用いて第２のクラスに属する入力画像３０２及び３０３が表示され、且つ、クラス表示領域ＡＲ［３］内の４つの要素表示領域を用いて第３のクラスに属する入力画像３０４〜３０７が表示され、且つ、クラス表示領域ＡＲ［４］内の１つの要素表示領域を用いて第４のクラスに属する入力画像３０８が表示される。
【００６９】
また、表示制御部５３は、対象画像が、表示画面の最上段に位置する要素表示領域ＡＲ［１，１］、ＡＲ［２，１］ＡＲ［３，１］及びＡＲ［４，１］に表示されるように各入力画像を表示する。対象画像を常に要素表示領域ＡＲ［１，１］、ＡＲ［２，１］ＡＲ［３，１］及びＡＲ［４，１］に表示するという規則、換言すれば、対象画像を要素表示領域ＡＲ［１，１］、ＡＲ［２，１］ＡＲ［３，１］及びＡＲ［４，１］以外の要素表示領域には表示させないという規則を、便宜上、規則αと呼ぶ。規則αに従い、図１５の表示画面では、入力画像３０１、３０２、３０４及び３０８が、夫々、領域ＡＲ［１，１］、ＡＲ［２，１］、ＡＲ［３，１］及びＡＲ［４，１］に表示される。初期表示状態において、入力画像３０３は領域ＡＲ［２，２］に表示される。初期表示状態において、入力画像３０５〜３０７の表示位置は、クラス表示領域ＡＲ［３］内であれば任意である。例えば、撮影時刻順で入力画像３０５、３０６及び３０７を並べることもできる。ここでは、入力画像３０５、３０６及び３０７が、夫々、領域ＡＲ［３，２］、ＡＲ［３，３］及びＡＲ［３，４］に表示されているものとする。
【００７０】
ユーザは、表示画面に表示されている任意の入力画像を指定した上で、指定入力画像に対応するチェックボックスの状態を様々に変更することができる。ユーザは、入力画像の指定及びチェックボックスの状態の変更を、操作部１７又はタッチパネル１９を用いて指示することができる。或いは、入力画像の指定を介することなく、直接、任意のチェックボックスの状態を様々に変更することもできる。チェックボックスの状態を、便宜上、チェック状態とも呼ぶ。図１６（ａ）のチェックボックス３３０がとり得る第１〜第４のチェック状態を、図１６（ｂ）に示す。チェックボックス３３０に対応する入力画像を、便宜上、入力画像３３１と呼ぶ。
【００７１】
第１のチェック状態は、再生オフに対応する状態であり、チェックボックス３３０の状態が第１のチェック状態であるとき、入力画像３３１は非対象画像に設定される。第２〜第４のチェック状態の夫々は、再生オンに対応する状態であり、チェックボックス３３０の状態が第２、第３又は第４のチェック状態であるとき、入力画像３３１は対象画像に設定される。
チェックボックス３３０の状態が第３のチェック状態である場合においてスライドショー再生が開始されると、対象画像としての入力画像３３１は、右方向に９０度回転された状態で表示される。チェックボックス３３０の状態が第４のチェック状態である場合においてスライドショー再生が開始されると、対象画像としての入力画像３３１は、左方向に９０度回転された状態で表示される。入力画像３３１の回転は、公知の幾何学的変換によって実現される。チェックボックス３３０の状態が第２のチェック状態である場合においてスライドショー再生が開始されると、対象画像としての入力画像３３１は、上記のような回転が成されることなくそのまま表示される。
【００７２】
例えば、図１５の表示が成されている状態において、入力画像３０８に対応するチェックボックスを表示画面上のカーソル等で指定して所定操作を行うと、入力画像３０８に対応するチェックボックスの状態は第２のチェック状態から第３のチェック状態へと変化し、表示画面の様子は図１５から図１７へと変化する。
【００７３】
今、図１５の初期表示状態を起点にして、ユーザが入力画像３０６に対するチェックボックスの状態を第１のチェック状態から第２のチェック状態へと変更した場合を考える。図１８は、この変更が成された直後の表示画面の様子を示している。図１８では、入力画像３０１、３０２、３０４及び３０８に加えて、入力画像３０６に対するチェックボックスの状態も第２のチェック状態となっている。
【００７４】
表示制御部５３は、更に何らかの操作がユーザから与えられるまで、図１８に示す表示を維持することも可能である。但し、共通のクラスに複数の対象画像が設定された場合、図７の画像分類部６３は、当該クラスに属する入力画像を複数のクラスに再分類することもでき、表示制御部５３は、再分類の結果を表示画面に反映させることが可能である。
【００７５】
図１８に示す如く、入力画像３０１、３０２、３０４及び３０８に加えて入力画像３０６も対象画像に設定された場合の再分類方法を説明する（図１９も参照）。この場合、第３のクラスに２枚の対象画像（３０４及び３０６）が存在することになるため、画像解析部５１は、入力画像３０４の第３のクラスへの分類を維持しつつ、現在の第４のクラスを第５のクラスに変更した上で（即ち、入力画像３０８が属するクラスを第５のクラスに変更した上で）、入力画像３０６を第４のクラスへ新たに分類する。そして、第３のクラスに属していた残りの入力画像３０５及び３０７の夫々を第３及び第４のクラスのどちらかに再分類する。ここでは、この再分類によって、図１９に示す如く、入力画像３０５が第３のクラスに分類され、入力画像３０７が第４のクラスに分類されたものとする。
【００７６】
画像分類部６３は、入力画像３０５の再分類を、特徴ベクトルに基づいて行うことができる。この際、入力画像３０４、３０５及び３０６の特徴ベクトルに基づき、入力画像３０５が入力画像３０４及び３０６の内のどちらにより類似しているかを評価し、入力画像３０４及び３０６の内、入力画像３０４に入力画像３０５がより類似していると評価された場合には、入力画像３０５を入力画像３０４が属する第３のクラスに再分類すると良い。逆に、入力画像３０４及び３０６の内、入力画像３０６に入力画像３０５がより類似していると評価された場合には、入力画像３０５を入力画像３０６が属する第４のクラスに再分類すると良い。特徴空間ＦＳにおいて（図８（ｂ）参照）、入力画像３０４及び３０５間の画像特徴距離が入力画像３０５及び３０６間のそれよりも短ければ、入力画像３０４に入力画像３０５がより類似していると評価することができ、入力画像３０４及び３０５間の画像特徴距離が入力画像３０５及び３０６間のそれよりも長ければ、入力画像３０６に入力画像３０５がより類似していると評価することができる。入力画像３０７の再分類も同様にすることができる。
【００７７】
また、画像分類部６３は、入力画像３０４〜３０７の撮影時刻に基づいて再分類を行うこともできる。即ち例えば、入力画像３０４、３０５、３０６及び３０７が、この順番で撮影されたものである場合、非対象画像である入力画像３０５を、対象画像としての入力画像３０４及び３０６の内、入力画像３０５のよりも前に撮影された対象画像のクラスに分類し、非対象画像である入力画像３０７を、対象画像としての入力画像３０４及び３０６の内、入力画像３０７よりも前に撮影された対象画像のクラスに分類する。入力画像３０４も入力画像３０６も、入力画像３０７よりも前に撮影された対象画像であるため、この場合は、入力画像３０７の撮影時刻により近い時刻に撮影された対象画像が属するクラス、即ち、対象画像３０６が属する第４のクラスに入力画像３０７を分類すると良い（図１９参照）。また、入力画像３０５及び入力画像３０４間の撮影時間差と入力画像３０５及び入力画像３０６間の撮影時間差を比較し、前者の方が後者よりも短ければ入力画像３０５を対象画像３０４が属する第３のクラスに再分類する一方、後者の方が前者よりも短ければ入力画像３０５を対象画像３０６が属する第４のクラスに再分類するようにしても良い。入力画像３０７の再分類ついても同様である。
【００７８】
図１９に示すように、入力画像３０４及び３０５が第３のクラスに再分類され且つ入力画像３０６及び３０７が第４のクラスに再分類されると、表示制御部５３は、再分類後の第１〜第４のクラスに夫々クラス表示領域ＡＲ［１］〜ＡＲ［４］に割り当てて、上記規則αに従いつつ表示内容の変更を行う。この変更後の表示画面の様子を、図２０に示す。
図２０の表示画面の状態を、便宜上、第２表示状態と呼ぶ。規則αが適用されるため、図２０の表示画面では、入力画像３０１、３０２、３０４及び３０６が、それぞれ領域ＡＲ［１，１］、ＡＲ［２，１］、ＡＲ［３，１］及びＡＲ［４，１］に表示される。また、再分類後の第２、第３、第４のクラスに夫々入力画像３０３、３０５及び３０７が属しているため（図１９参照）、第２表示状態において、入力画像３０３、３０５及び３０７は、夫々、領域ＡＲ［２，２］、ＡＲ［３，２］及びＡＲ［４，２］に表示される。
【００７９】
第２表示状態を起点として、ユーザが仮に入力画像３０６を対象画像から非対象画像に変更する操作を行うと（即ち、入力画像３０６に対応するチェックボックスの状態を第２のチェック状態から第１のチェック状態へと変更する操作を行うと）、図１９に示される第３のクラス及び第４のクラスが１つのクラス（第３のクラス）に統合されて、表示画面の状態は初期表示状態に戻る。第２表示状態を起点として、図２１（ａ）に示す如く、ユーザが入力画像３０４を対象画像から非対象画像に変更する操作を行った場合も、図１９に示される第３のクラス及び第４のクラスが１つのクラス（第３のクラス）に統合されるが、この場合には、統合後の第３のクラスに属する対象画像が入力画像３０６になるため、図２１（ｂ）に示す如く、入力画像３０１、３０２、３０６及び３０８が、それぞれ領域ＡＲ［１，１］、ＡＲ［２，１］、ＡＲ［３，１］及びＡＲ［４，１］に表示され、入力画像３０４、３０５及び３０７は領域ＡＲ［３，２］〜ＡＲ［３，４］を用いて表示される。
【００８０】
また、第２表示状態を起点として、図２２（ａ）に示す如く、ユーザが入力画像３０２を対象画像から非対象画像に変更する操作を行うと（即ち、入力画像３０２に対応するチェックボックスの状態を第２のチェック状態から第１のチェック状態へと変更する操作を行うと）、図１９に示される第２のクラスが他のクラスに統合され、これに伴って図１９の第３〜第５のクラスが夫々第２〜第４のクラスに変更される。ここでは、図１９に示される第２のクラスが第１のクラスに統合されることを想定しており、この統合によって入力画像３０２及び３０３は第１のクラスに再分類される。この再分類後の表示にも上記規則αは適用される。結果、図２２（ｂ）に示す如く、対象画像である入力画像３０１、３０４、３０６及び３０８が、それぞれ領域ＡＲ［１，１］、ＡＲ［２，１］、ＡＲ［３，１］及びＡＲ［４，１］に表示され、非対象画像である入力画像３０２及び３０３は領域ＡＲ［１，２］及びＡＲ［１，３］に表示される。
【００８１】
第１実施形態によれば、入力画像間の類似性に応じて複数の入力画像が複数のクラスに分類され、互いに類似しあう入力画像が共通のクラス表示領域内に集まって表示される。従って、ユーザは、各入力画像の表示位置から複数の入力画像間の類似性関係を直感的に且つ即座に判断することができ、互いに類似しあう入力画像の中から、所望の入力画像のみを対象画像として選択するといった選択操作を行いやすくなる。
【００８２】
また、上記規則αを適用すれば、対象画像が常に表示画面の最上段に並んで表示されるため、ユーザは、何れの入力画像が対象画像に設定されているのかを即座に確認することができる。
【００８３】
尚、上記規則αを守ることは必須ではない。例えば、図２０に対応する第２表示状態を起点として、図２２（ａ）に示す如く、入力画像３０２を対象画像から非対象画像に変更する操作が行われた際、図１９に示すクラス分けを維持すると共に、表示内容を図２２（ａ）の状態で維持しておくようにしても構わない。図２２（ａ）の状態では、対象画像である入力画像３０１、３０４及び３０６が夫々領域ＡＲ［１，１］、ＡＲ［３，１］及びＡＲ［４，１］に表示され、非対象画像である入力画像３０２、３０３、３０５及び３０７が夫々領域ＡＲ［２，１］、ＡＲ［２，２］、ＡＲ［３，２］及びＡＲ［４，２］に表示されている。
【００８４】
上述の方法では、チェックボックスの状態を変更する操作が、対象画像を選択するための選択操作に相当するが、選択操作の具体的方法は様々に変更可能である。
【００８５】
上記規則αが適用される場合、複数の対象画像は、表示画面の最上段に位置する要素表示領域ＡＲ［１，１］、ＡＲ［２，１］ＡＲ［３，１］及びＡＲ［４，１］に並べて表示されるが、これに代えて、複数の対象画像を、表示画面の最下段に位置する要素表示領域ＡＲ［１，４］、ＡＲ［２，４］ＡＲ［３，４］及びＡＲ［４，４］に並べて表示するようにしても構わない。どちらの場合も、複数の対象画像が表示画面の水平方向に並んで表示されることになる。
【００８６】
上述の例では、クラス表示領域ＡＲ［１］〜ＡＲ［４］が表示画面上で水平方向に並べられているが、図２３に示す如く、クラス表示領域ＡＲ［１］〜ＡＲ［４］が表示画面上で垂直方向に並ぶように、表示画面の表示領域を分割しても構わない。この場合も、クラス表示領域ＡＲ［１］〜ＡＲ［４］に夫々第１〜第４のクラスの入力画像が表示される。そして、クラス表示領域ＡＲ［１］〜ＡＲ［４］が垂直方向に並べられている場合において規則αを適用すると、クラス表示領域ＡＲ［１］〜ＡＲ［４］の夫々の左端に位置する要素表示領域に対象画像が表示される、或いは、クラス表示領域ＡＲ［１］〜ＡＲ［４］の夫々の右端に位置する要素表示領域に対象画像が表示される。即ち、複数の対象画像が表示画面の垂直方向に並んで表示されることになる。表示画面上において領域ＡＲ［１］〜ＡＲ［４］を水平方向に並べる場合も垂直方向に並べる場合も、規則αの下では、対象画像が表示画面上の定められた特定の表示領域に表示されることになる。
【００８７】
上述の例では、表示画面に設定されるクラス表示領域の個数が４であるが、その個数は２、３又は５以上であっても良い。同様に、上述の例では、各クラス表示領域に設けられる要素表示領域の個数が４であるが、その個数は２、３又は５以上であっても良い。
【００８８】
＜＜第２実施形態＞＞
本発明の第２実施形態を説明する。第２実施形態は、第１実施形態を基礎とする実施形態であり、矛盾なき限り、第１実施形態の記載を第２実施形態に適用することができる。第２実施形態では、スライドショー再生の実行中における表示動作について説明する。
【００８９】
図２４に、操作部１７に設けておくことのできる十字キー８０及び設定キー８５を示す。十字キー８０は、上方向キー８１、下方向キー８２、左方向キー８３及び右方向キー８４の集合体である。ユーザは、上方向キー８１を押下することで上方向キー８１に割り当てられた指示を撮像装置１に与えることができる（キー８２〜８５についても同様）。
【００９０】
対象画像の全てを１度ずつ再生することで１回分のスライドショー再生が終了し、１回分のスライドショー再生の終了後、ユーザの指示に従って或いは自動的に、撮像装置１は、もう一度スライドショー再生を成すことができる。撮像装置１では、第ｐ回目のスライドショー再生の実行中において、第（ｐ＋１）回目のスライドショー再生における対象画像を設定することができる、或いは、第（ｐ＋１）回目以降のスライドショー再生における対象画像を設定することができる。以下では、第ｐ回目のスライドショー再生の実行中において、第（ｐ＋１）回目及び第（ｐ＋１）回目以降のスライドショー再生における対象画像が設定されうると考える。ｐは自然数である。第ｐ回目のスライドショー再生を今回のスライドショー再生と捉えたならば、第（ｐ＋１）回目及び第（ｐ＋１）回目以降のスライドショー再生を、次回及び次回以降のスライドショー再生と呼ぶことができる。
【００９１】
第１実施形態と同様、図１１に示す初期分類が成された状態を想定し、更に、入力画像３０１〜３０８の内、入力画像３０１、３０２及び３０４及び３０８のみが対象画像に設定された状態（以下、初期設定状態ＳＴＡと呼ぶ）を起点にして考える。尚、スライドショー再生において、非対象画像を短い時間ｔＳだけ再生するようにしても良いことを第１実施形態で述べたが、以下では、特に記述なき限り、時間ｔＳがゼロであることを想定する。
【００９２】
初期設定状態ＳＴＡが維持された状態で複数回分のスライドショー再生を繰り返し実行すると、第１回目のスライドショー再生において入力画像３０１、３０２及び３０４及び３０８のみが順次表示され、その後、第２回目のスライドショー再生において入力画像３０１、３０２及び３０４及び３０８のみが再び順次表示される（それ以降のスライドショー再生も同様）。但し、或る対象画像の表示中に、当該対象画像の関連画像が存在する場合、表示制御部５３は、当該対象画像の表示中に、当該対象画像の関連画像が存在することを示す関連アイコンＲＩＣも表示画面に表示させる。或る対象画像の関連画像とは、その対象画像が属するクラスと同じクラスに属する非対象画像を指す。従って例えば、初期設定状態ＳＴＡにおいて（図１１参照）、対象画像としての入力画像３０２の関連画像は非対象画像としての入力画像３０３であり、対象画像としての入力画像３０４の関連画像は非対象画像としての入力画像３０５〜３０７である。
【００９３】
図２５（ａ）に、関連アイコンＲＩＣの例を示す。図２５（ｂ）は、関連アイコンＲＩＣが表示されている様子を示している。図２５（ｂ）の例において、表示画面に表示されている対象画像は入力画像３０２である（図１１参照）。図２５（ｂ）に示す如く、関連アイコンＲＩＣを当該入力画像３０２上に重畳表示しても良いし、図２５（ｂ）の例とは異なるが、関連アイコンＲＩＣと入力画像３０２を並べて同時表示するようにしても良い。
【００９４】
スライドショー再生における表示モードには、対象画像のみが一定時間間隔で順次表示される通常表示モードと、非対象画像のみが又は対象画像及び非対象画像が一定時間間隔で順次表示される関連画像表示モードと、が含まれる。以下、表示モードの切り換え動作例を含むスライドショー再生の具体例として、第１〜第６具体例を説明する。矛盾なき限り、或る具体例において説明した事項を、他の具体例に適用することも可能である。
【００９５】
［第１具体例］
第１具体例を説明する。図２６は、第１具体例において、表示される画像の変遷の様子を示した図である。第１具体例では、初期設定状態ＳＴＡで第ｐ回目のスライドショー再生を実行開始し、第ｐ回目のスライドショー再生において対象画像としての入力画像３０４を表示しているタイミングＴＡ１に下方向キー８２が押下され、更にその後のタイミングＴＡ２において右方向キー８４が押下されたことを想定する。
【００９６】
初期設定状態ＳＴＡで第ｐ回目のスライドショー再生を実行開始すると、表示モードは通常表示モードに設定されて入力画像３０１、３０２及び３０４が順次表示される。入力画像３０４を表示しているタイミングＴＡ１において下方向キー８２が押下されると、表示モードが通常表示モードから関連画像表示モードに変更され、入力画像３０４に続いて、入力画像（対象画像）３０４の関連画像である入力画像３０５及び３０６が順次表示される。入力画像３０６を表示しているタイミングＴＡ２において右方向キー８４が押下されると、表示モードが関連画像表示モードから通常表示モードに戻り、対象画像３０４が属するクラスの次のクラスの対象画像３０８（即ち、第４のクラスの対象画像）が表示される。
【００９７】
関連画像表示モードにおいて対象画像の関連画像が表示される際、関連画像と共に関連アイコンＲＩＣを表示するようにしても良い（後述の他の具体例においても同様）。対象画像と共に表示される関連アイコンＲＩＣと、非対象画像としての関連画像と共に表示される関連アイコンＲＩＣとの間で、関連アイコンＲＩＣのデザインを異ならせても良い（後述の他の具体例においても同様）。
【００９８】
関連画像表示モードにおいて最後に表示された入力画像３０６は、新たに対象画像に設定される（換言すれば、新たな対象画像として選択される）。これに伴って、第ｐ回目のスライドショー再生において対象画像であった入力画像３０４は非対象画像に変更される。即ち、第ｐ回目のスライドショー再生中における上記押下操作により、第３のクラスに属する対象画像が入力画像３０４から入力画像３０６に切り換えられる。従って、第（ｐ＋１）回目及び第（ｐ＋１）回目以降のスライドショー再生においては、入力画像３０１、３０２、３０６及び３０８が順次表示されることになる（入力画像３０４は表示されない）。
【００９９】
尚、入力画像３０６を非対象画像から対象画像に変更する際、入力画像３０４を対象画像から非対象画像に変更するのはなく、入力画像３０４を対象画像に設定し続けておくようにしても良い。
【０１００】
［第２具体例］
第２具体例を説明する。図２７は、第２具体例において、表示される画像の変遷の様子を示した図である。第２具体例では、初期設定状態ＳＴＡで第ｐ回目のスライドショー再生を実行開始し、第ｐ回目のスライドショー再生において対象画像としての入力画像３０４を表示しているタイミングＴＢ１に下方向キー８２が押下されたことを想定する。
【０１０１】
初期設定状態ＳＴＡで第ｐ回目のスライドショー再生を実行開始すると、表示モードは通常表示モードに設定されて入力画像３０１、３０２及び３０４が順次表示される。入力画像３０４を表示しているタイミングＴＢ１において下方向キー８２が押下されると、表示モードが通常表示モードから関連画像表示モードに変更され、入力画像３０４に続いて、入力画像（対象画像）３０４の関連画像である入力画像３０５、３０６及び３０７が順次表示される。入力画像３０７を一定時間表示した後、右方向キー８２の押下操作を含むユーザ操作が成されないと、再び入力画像３０４から始まる、入力画像３０４、３０５、３０６及び３０７の順次表示を繰り返す。
【０１０２】
［第３具体例］
第３具体例を説明する。図２８は、第３具体例において、表示される画像の変遷の様子を示した図である。第３具体例では、初期設定状態ＳＴＡで第ｐ回目のスライドショー再生を実行開始し、第ｐ回目のスライドショー再生において対象画像としての入力画像３０４を表示しているタイミングＴＣ１に下方向キー８２が押下され、その後、非対象画像としての入力画像３０６を表示しているタイミングＴＣ２に上方向キー８１が押下されたことを想定する。
【０１０３】
初期設定状態ＳＴＡで第ｐ回目のスライドショー再生を実行開始すると、表示モードは通常表示モードに設定されて入力画像３０１、３０２及び３０４が順次表示される。入力画像３０４を表示しているタイミングＴＣ１において下方向キー８２が押下されると、表示モードが通常表示モードから関連画像表示モードに変更され、入力画像３０４に続いて、入力画像（対象画像）３０４の関連画像である入力画像３０５及び３０６が順次表示される。入力画像３０６を表示しているタイミングＴＣ２において上方向キー８１が押下されると、関連画像表示モードを維持しつつ入力画像３０６の次に、入力画像３０５及び３０４を、この順番で順次表示する。即ち、タイミングＴＣ２を境に、表示される入力画像の順番を、第３のクラスに属する入力画像の中で反転させる。
【０１０４】
図２８には示されていないが、タイミングＴＣ２の後、入力画像３０４が表示されているときに下方向キー８２が再度押下されたならば、入力画像３０４の次に入力画像３０５及び３０６（更には入力画像３０７）が順次表示される。また、タイミングＴＣ２の後、入力画像３０５が表示されているときに右方向キー８４が押下されたならば、表示モードが関連画像表示モードから通常表示モードに戻り、対象画像３０４が属するクラスの次のクラスの対象画像３０８（即ち、第４のクラスの対象画像）が表示される一方で、第１具体例と同様、関連画像表示モードにおいて最後に表示された入力画像３０５が、第（ｐ＋１）回目及び第（ｐ＋１）回目以降のスライドショー再生における対象画像に設定される。これに伴って、第ｐ回目のスライドショー再生において対象画像であった入力画像３０４を非対象画像に変更しても良いし、或いは、入力画像３０４を対象画像に設定し続けておくようにしても良い。
【０１０５】
［第４具体例］
第４具体例を説明する。図２９は、第４具体例において、表示される画像の変遷の様子を示した図である。第４具体例では、初期設定状態ＳＴＡで第ｐ回目のスライドショー再生を実行開始し、第ｐ回目のスライドショー再生において対象画像としての入力画像３０４を表示しているタイミングＴＤ１に下方向キー８２が押下されたことを想定する。
【０１０６】
初期設定状態ＳＴＡで第ｐ回目のスライドショー再生を実行開始すると、表示モードは通常表示モードに設定されて入力画像３０１、３０２及び３０４が順次表示される。入力画像３０４を表示しているタイミングＴＤ１において下方向キー８２が押下されると、表示モードが通常表示モードから関連画像表示モードに変更され、入力画像３０４に続いて、入力画像（対象画像）３０４の関連画像である入力画像３０５、３０６及び３０７が順次表示される。入力画像３０７を一定時間表示した後、右方向キー８２の押下操作を含むユーザ操作が成されないと、表示制御部５３は、自動的に表示モードを関連画像表示モードから通常表示モードに戻す（即ち、関連画像表示モードにおいて入力画像３０４の関連画像の表示が全て終わると、表示モードを通常表示モードに戻す）。従って、入力画像３０７の次には、対象画像３０４が属するクラスの次のクラスの対象画像３０８（即ち、第４のクラスの対象画像）が表示される。
【０１０７】
関連画像表示モードにおいて最後に表示された入力画像３０７は、新たな対象画像に設定される（換言すれば、新たな対象画像として選択される）。即ち、入力画像３０７は、第（ｐ＋１）回目及び第（ｐ＋１）回目以降のスライドショー再生における対象画像に設定される。これに伴って、第ｐ回目のスライドショー再生において対象画像であった入力画像３０４を非対象画像に変更しても良いし、或いは、入力画像３０４を対象画像に設定し続けておくようにしても良い。但し、入力画像３０７を表示しているときに、ユーザによる所定操作（例えば、右方向ボタン８４の押下操作）がなかったならば、入力画像３０７を非対象画像のままにしておいても良い。
【０１０８】
［第５具体例］
第５具体例を説明する。図３０は、第５具体例において、表示される画像の変遷の様子を示した図である。第５具体例では、初期設定状態ＳＴＡで第ｐ回目のスライドショー再生を実行開始し、第ｐ回目のスライドショー再生において対象画像としての入力画像３０４を表示しているタイミングＴＥ１に下方向キー８２が押下され、且つ、その後のタイミングＴＥ２において設定キー８５が押下されたことを想定する。
【０１０９】
初期設定状態ＳＴＡで第ｐ回目のスライドショー再生を実行開始すると、表示モードは通常表示モードに設定されて入力画像３０１、３０２及び３０４が順次表示される。入力画像３０４を表示しているタイミングＴＥ１において下方向キー８２が押下されると、表示モードが通常表示モードから関連画像表示モードに変更され、入力画像３０４に続いて、入力画像（対象画像）３０４の関連画像である入力画像３０５、３０６及び３０７が順次表示される。入力画像３０７を一定時間表示した後、右方向キー８２の押下操作を含むユーザ操作が成されないと、表示制御部５３は、自動的に表示モードを関連画像表示モードから通常表示モードに戻す（即ち、関連画像表示モードにおいて入力画像３０４の関連画像の表示が全て終わると、表示モードを通常表示モードに戻す）。従って、入力画像３０７の次には、対象画像３０４が属するクラスの次のクラスの対象画像３０８（即ち、第４のクラスの対象画像）が表示される。
【０１１０】
関連表示モードにおいてユーザが設定キー８５を押下すると、その押下時点で表示されている関連画像が新たな対象画像に設定される（換言すれば、新たな対象画像として選択される）。第５具体例では、入力画像３０５が表示されているタイミングＴＥ２において設定キー８５が押下されたことが想定されている。タイミングＴＥ２において設定キー８５が押下されると、表示制御部５３は、入力画像３０５と共に第２のチェック状態のチェックボックスＣＢを表示し（図１６（ｂ）参照）、入力画像３０５が新たな対象画像に設定されたことを明示する。入力画像３０５が表示されている最中に設定キー８５を再度押下することで、ユーザは、入力画像３０５が新たな対象画像に設定されることを解除することができ、この解除が成された場合、入力画像３０５と共に表示されるチェックボックスＣＢの状態は第２のチェック状態から第１のチェック状態に変化する（図１６（ｂ）参照）。ユーザは、入力画像３０６及び３０７に対しても、入力画像３０５に対して行った操作と同様の操作を成すことができる。
【０１１１】
タイミングＴＥ２における設定キー８５の押下操作によって、入力画像３０５は、第（ｐ＋１）回目及び第（ｐ＋１）回目以降のスライドショー再生における対象画像になる。これに伴って、第ｐ回目のスライドショー再生において対象画像であった入力画像３０４を非対象画像に変更しても良いし、或いは、入力画像３０４を対象画像に設定し続けておくようにしても良い。
【０１１２】
［第６具体例］
第６具体例を説明する。図３１は、第６具体例において、表示される画像の変遷の様子を示した図である。第６具体例では、初期設定状態ＳＴＡで第ｐ回目のスライドショー再生を実行開始し、第ｐ回目のスライドショー再生において対象画像としての入力画像３０２を表示しているタイミングＴＦ１に下方向キー８２が長押しされ、且つ、その後のタイミングＴＦ２において右方向キー８４が押下されたことを想定する。下方向キー８２の長押しと下方向キー８２の押下は、互いに異なる操作である。下方向キー８２が長押しとは、下方向キー８２を一定時間以上連続して押し続ける操作を指し、下方向キー８２の押下とは、下方向キー８２を一定時間未満だけ押す操作を指す。
【０１１３】
図３１に示されるように、第６具体例では、表示モードが通常モードから関連画像表示モードに一旦変更されると、ユーザによる所定操作が成されるまで、関連画像表示モードによる表示が複数のクラスに亘って継続される。
【０１１４】
即ち、初期設定状態ＳＴＡで第ｐ回目のスライドショー再生を実行開始すると、表示モードは通常表示モードに設定されて入力画像３０１及び３０２が順次表示される。入力画像３０２を表示しているタイミングＴＦ１において下方向キー８２が長押しされると、表示モードが通常表示モードから関連画像表示モードに変更され、入力画像３０２に続いて、入力画像（対象画像）３０２の関連画像である入力画像３０３が表示される。入力画像３０２の関連画像は入力画像３０３だけである。従って、入力画像３０３を一定時間表示した後、右方向キー８２の押下操作を含むユーザ操作が成されないと、表示制御部５３は、対象画像３０２が属するクラスの次のクラスの対象画像３０４（即ち、第３のクラスの対象画像）を表示させ、更に、対象画像３０４に続いて、対象画像３０４の関連画像である入力画像３０５及び３０６を順次表示する。第６具体例では、入力画像３０６が表示されているタイミングＴＦ２において右方向キー８４が押下される。そうすると、表示制御部５３は、表示モードを関連画像表示モードから通常表示モードに戻し、対象画像３０４が属するクラスの次のクラスの対象画像３０８（即ち、第４のクラスの対象画像）を表示させる。
【０１１５】
関連画像表示モードにおいて、各クラスの最後に表示された入力画像（即ち、入力画像３０３及び３０６）は、新たな対象画像に設定される（換言すれば、新たな対象画像として選択される）。即ち、入力画像３０３及び３０６の夫々は、第（ｐ＋１）回目及び第（ｐ＋１）回目以降のスライドショー再生における対象画像に設定される。これに伴って、第ｐ回目のスライドショー再生において対象画像であった入力画像３０２及び３０４を非対象画像に変更しても良いし、或いは、入力画像３０２及び３０４を対象画像に設定し続けておくようにしても良い。但し、入力画像３０３を表示しているときに、ユーザによる所定操作がなかったならば、入力画像３０３を非対象画像のままにしておいても良い（入力画像３０６についても同様）。
【０１１６】
上述の如く、第２実施形態に係る撮像装置１は、第ｐ回目のスライドショー再生の実行中にユーザから所定操作（例えば、下方向キー８２の押下操作）を受けた際、表示モードを通常表示モードから関連画像表示モードに変更し、第ｐ回目のスライドショー再生において対象画像として選択されていなかった入力画像（即ち、第ｐ回目のスライドショー再生における非対象画像）を表示する。そして、第（ｐ＋１）回目及び第（ｐ＋１）回目以降のスライドショー再生における対象画像の選択を受け付ける。具体的には例えば、第ｐ回目のスライドショー再生の実行中において対象画像３０４を表示しているときに所定操作（例えば、下方向キー８２の押下操作）を受けた際、撮像装置１は、入力画像３０４が属するクラスの非対象画像（３０５、３０６及び３０７）を表示し、この表示を成している状態で、対象画像の再選択を受け付ける。即ち、第（ｐ＋１）回目及び第（ｐ＋１）回目以降のスライドショー再生における対象画像の選択を受け付ける。
【０１１７】
このように第２実施形態によれば、スライドショー再生の実行中において、入力画像の関連画像を表示させる関連画像表示モードを起動させることができ、その中で、対象画像を再選択することが可能となる。関連画像表示モードでは、現在の対象画像と現在の非対象画像である関連画像とが連続的に表示されるため、ユーザは、それらの画像の関連性（類似性）を認識しながら、素早く所望画像を対象画像に再選択することが可能となる。
【０１１８】
尚、上述の各具体例では、表示モードの通常表示モード及び関連画像表示モード間における切り換えを十字キー８０にて実現しているが、その切り換えを実現するための操作部材及び操作方法は様々に変更可能である。同様に、設定キー８５を用いた対象画像の選択方法を上述したが、該選択方法も様々に変更可能である。例えば、タッチパネル１９やトラックボール等（不図示）等を用いて、表示モードの切り換えや対象画像の選択を実現しても良い。
【０１１９】
また、第１実施形態と同様に、関連画像表示モードに限らず、スライドショー再生において非対象画像を短い時間ｔＳだけ再生するようにしても良い（即ち、時間ｔＳはゼロよりも大きくても良い）。換言すれば、通常表示モードのスライドショー再生において、対象画像を順次再生するだけでなく、対象画像の再生時間よりも短い再生時間だけ非対象画像を再生するようにしても良い。この場合、対象画像を選択又は設定するための操作は、各入力画像の再生時間を設定する操作であるとも言える。時間ｔＳ＞０であるとき、以下のような動作を成すことができる。
【０１２０】
通常表示モードのスライドショー再生では、各対象画像が再生時間ｔＬ（例えば、３秒）ずつ表示されるように且つ各非対象画像が再生時間ｔＳ（例えば、０．５秒）ずつ表示されるように、入力画像３０１〜３０８を順次表示する。一方、関連画像表示モードのスライドショー再生では、各対象画像の再生時間と各非対象画像の再生時間とが同じになるように、非対象画像の再生時間を増大させる。上述したように、ｔＬ＞ｔＳである。
【０１２１】
例えば、初期設定状態ＳＴＡで第ｐ回目のスライドショー再生を実行開始すると、表示モードが通常表示モードに設定され、対象画像である入力画像３０１及び３０２が時間ｔＬずつ順次表示された後、非対象画像である入力画像３０３が時間ｔＳだけ表示され、更にその後、対象画像である入力画像３０４が時間ｔＬだけ表示される。入力画像３０４を表示しているときに下方向キー８２が押下されると、表示モードが通常表示モードから関連画像表示モードに変更され、非対象画像である入力画像３０５、３０６及び３０７が時間ｔＬずつ順次表示される。そして仮に、入力画像３０６が表示されているタイミングにおいて右方向キー８４が押下されたならば、入力画像３０６を、第（ｐ＋１）回目及び第（ｐ＋１）回目以降のスライドショー再生における対象画像に設定する。
【０１２２】
この設定後、第（ｐ＋１）回目又は第（ｐ＋１）回目以降のスライドショー再生が開始されると、通常表示モードにおいて、対象画像である入力画像３０１及び３０２が時間ｔＬずつ順次表示された後、非対象画像である入力画像３０３が時間ｔＳだけ表示され、更にその後、対象画像である入力画像３０６が時間ｔＬだけ表示され、更にその後、非対象画像である入力画像３０４、３０５及び３０７が時間ｔＳずつ順次表示される。但し、入力画像３０４が対象画像に設定され続けているならば、入力画像３０４の再生時間はｔＬである。
【０１２３】
＜＜変形等＞＞
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。上述の実施形態に適用可能な注釈事項として、以下に、注釈１〜注釈３を記す。各注釈に記載した内容は、矛盾なき限り、任意に組み合わせることが可能である。
【０１２４】
［注釈１］
上述の各実施形態では、スライドショー再生において入力画像が１枚ずつ順次再生されることが基本となっているが、スライドショー再生において入力画像をｋ枚ずつ順次再生するようにしても良い（ｋは２以上の整数）。
【０１２５】
［注釈２］
撮像装置１にて入力画像の再生が行われるとき、撮像装置１は画像再生装置として機能する。図３２に示す如く、撮像装置１と異なる電子機器１０１に、図６に示されるものと同様の画像解析部５１、選択処理部５２、表示制御部５３、表示部１５及び記録媒体１６並びに図１に示されるものと同様の操作部１７を設け、電子機器１０１上において上述のスライドショー再生を実行するようにしても良い。上述のスライドショー再生を実行する電子機器１０１も、画像再生装置と呼べる。電子機器１０１は、例えば、パーソナルコンピュータ、携帯情報端末、携帯電話機である。尚、撮像装置１も、電子機器の一種である。
【０１２６】
［注釈３］
図１の撮像装置１及び電子機器１０１を、ハードウェア、或いは、ハードウェアとソフトウェアの組み合わせによって構成することができる。ソフトウェアを用いて撮像装置１及び電子機器１０１を構成する場合、ソフトウェアにて実現される部位についてのブロック図は、その部位の機能ブロック図を表すことになる。特に、画像解析部５１、選択処理部５２、表示制御部５３を用いて実現される機能の全部又は一部をプログラムとして記述し、該プログラムをプログラム実行装置（例えばコンピュータ）上で実行することによって、その機能の全部又は一部を実現するようにしてもよい。
【符号の説明】
【０１２７】
１  撮像装置
１５  表示部
５１  画像解析部
５２  選択処理部
５３  表示制御部
６１  画像特徴量抽出部
６２  関連度導出部
６３  画像分類部
【図１】
2012114531.tif 000003
【図２】
2012114531.tif 000004
【図３】
2012114531.tif 000005
【図４】
2012114531.tif 000006
【図５】
2012114531.tif 000007
【図６】
2012114531.tif 000008
【図７】
2012114531.tif 000009
【図８】
2012114531.tif 000010
【図９】
2012114531.tif 000011
【図１０】
2012114531.tif 000012
【図１１】
2012114531.tif 000013
【図１２】
2012114531.tif 000014
【図１３】
2012114531.tif 000015
【図１４】
2012114531.tif 000016
【図１５】
2012114531.tif 000017
【図１６】
2012114531.tif 000018
【図１７】
2012114531.tif 000019
【図１８】
2012114531.tif 000020
【図１９】
2012114531.tif 000021
【図２０】
2012114531.tif 000022
【図２１】
2012114531.tif 000023
【図２２】
2012114531.tif 000024
【図２３】
2012114531.tif 000025
【図２４】
2012114531.tif 000026
【図２５】
2012114531.tif 000027
【図２６】
2012114531.tif 000028
【図２７】
2012114531.tif 000029
【図２８】
2012114531.tif 000030
【図２９】
2012114531.tif 000031
【図３０】
2012114531.tif 000032
【図３１】
2012114531.tif 000033
【図３２】
2012114531.tif 000034
【図３３】
2012114531.tif 000035